(57)【特許請求の範囲】
【請求項１】
撮像した画像データを記録媒体に格納する記録モードおよび記録媒体に格納されている画像データを表示する再生モードを含む複数の動作モードを有する撮像装置であって、
前記複数の動作モードに各々対応する複数の起動スイッチと、
前記複数の起動スイッチのいずれかがオン操作されたときに、一旦初期化され、初期化された後に、どの起動スイッチがオン操作されたのかを表す起動スイッチ情報を記憶するメモリと、
前記メモリが前記起動スイッチ情報を記憶した後に前記メモリ以外の初期化動作を行い、前記初期化動作を行った後、前記メモリに記憶された前記起動スイッチ情報を読み出して、起動する動作モードを決定し、決定した動作モードにて起動処理を実行する起動処理手段とを有することを特徴とする撮像装置。
【請求項２】
前記起動処理手段による初期化動作は前記撮像装置のＢＩＯＳ起動処理であることを特徴とする請求項１に記載の撮像装置。
【請求項３】
前記メモリが前記起動スイッチ情報を記憶する動作は前記起動処理手段による前記撮像装置のＢＩＯＳ起動処理に組み込まれることを特徴とする請求項２に記載の撮像装置。
【請求項４】
撮像した画像データを記録媒体に格納する記録モードおよび記録媒体に格納されている画像データを表示する再生モードを含む複数の動作モードを有し、前記複数の動作モードに各々対応する複数の起動スイッチを備える撮像装置の制御方法であって、
前記複数の起動スイッチのいずれかがオン操作されたときに、一旦初期化され、初期化された後に、どの起動スイッチがオン操作されたのかを表す起動スイッチ情報をメモリに記憶する記憶ステップと、
前記メモリが前記起動スイッチ情報を記憶した後に前記メモリ以外の初期化動作を行い、前記初期化動作を行った後、前記メモリに記憶された前記起動スイッチ情報を読み出して、起動する動作モードを決定し、決定した動作モードにて起動処理を実行する起動処理ステップとを有することを特徴とする撮像装置の制御方法。
【発明の詳細な説明】
【０００１】
【発明の属する技術分野】
本発明は、撮像した画像データを記録媒体に格納する記録モードや、記録媒体に格納されている画像データを表示する再生モード等の、複数の動作モードを有する撮像装置の起動処理に関する。
【０００２】
【従来の技術】
従来の撮像装置の中には、所望の動作モードに対応する起動スイッチをオン操作することで、装置の起動と動作モードの選択を同時に行えるものがある。
【０００３】
また、省電力を目的として、非起動状態においては装置に通電せず、起動スイッチをオン操作した時点で装置に通電を開始するようになされたものがある。
【０００４】
これらの撮像装置では、所望の動作モードで装置を起動する場合、希望する動作モードに対応する起動スイッチをオン操作することで通電が開始されると、ＢＩＯＳが起動されて装置のハードウェア等の初期化を行った後、ＯＳの起動を経て装置のシステムプログラムが実行され、システムプログラムの装置起動処理において、どの起動スイッチがオン操作されているかを判別することで起動後の動作モードを決定している。
【０００５】
【発明が解決しようとする課題】
しかしながら、従来の撮像装置においては、通電が開始されてからシステムプログラムで起動スイッチを判別して動作モードを決定するまでの間、起動スイッチをオン状態に保持しておく必要があり、ごく短時間に起動スイッチを操作した場合には撮像装置が起動されないことがあった。
【０００６】
また、起動スイッチの機構の工夫や保持回路の付加により、起動スイッチをオン状態で保持することを不要としている撮像装置も存在するが、この場合、スイッチや保持回路に余分なコストがかかっていた。
【０００７】
また、本発明は複数の動作モードを有する撮像装置の起動時において、希望する動作モードに対応する起動スイッチをごく短時間オン操作するだけで、簡単でかつ確実に所望の動作モードで起動する撮像装置を、余分なコストをかけることなく提供することを目的とする。
【０００８】
【課題を解決するための手段】
本発明は、撮像した画像データを記録媒体に格納する記録モードおよび記録媒体に格納されている画像データを表示する再生モードを含む複数の動作モードを有する撮像装置であって、前記複数の動作モードに各々対応する複数の起動スイッチと、前記複数の起動スイッチのいずれかがオン操作されたときに、一旦初期化され、初期化された後に、どの起動スイッチがオン操作されたのかを表す起動スイッチ情報を記憶するメモリと、前記メモリが前記起動スイッチ情報を記憶した後に前記メモリ以外の初期化動作を行い、前記初期化動作を行った後、前記メモリに記憶された前記起動スイッチ情報を読み出して、起動する動作モードを決定し、決定した動作モードにて起動処理を実行する起動処理手段とを有することを特徴とする。
【０００９】
本発明は、撮像した画像データを記録媒体に格納する記録モードおよび記録媒体に格納されている画像データを表示する再生モードを含む複数の動作モードを有し、前記複数の動作モードに各々対応する複数の起動スイッチを備える撮像装置の制御方法であって、前記複数の起動スイッチのいずれかがオン操作されたときに、一旦初期化され、初期化された後に、どの起動スイッチがオン操作されたのかを表す起動スイッチ情報をメモリに記憶する記憶ステップと、前記メモリが前記起動スイッチ情報を記憶した後に前記メモリ以外の初期化動作を行い、前記初期化動作を行った後、前記メモリに記憶された前記起動スイッチ情報を読み出して、起動する動作モードを決定し、決定した動作モードにて起動処理を実行する起動処理ステップとを有することを特徴とする。
【００１０】
【発明の実施の形態】
以下、添付の図面に沿って本発明の実施の形態を説明する。
【００１１】
（第１の実施の形態）
以下、図面を参照して本発明の実施の形態を説明する。
【００１２】
図１は、本発明の実施の形態の構成を示す図である。
【００１３】
図１において、１００は撮像装置である。
【００１４】
１０は撮影レンズ、１２は絞り機能を備えるシャッター、１４は光学像を電気信号に変換する撮像素子、１６は撮像素子１４のアナログ信号出力をディジタル信号に変換するＡ／Ｄ変換器である。
【００１５】
１８は撮像素子１４、Ａ／Ｄ変換器１６、Ｄ／Ａ変換器２６にクロック信号や制御信号を供給するタイミング発生回路であり、メモリ制御回路２２及びシステム制御回路５０により制御される。
【００１６】
２０は画像処理回路であり、Ａ／Ｄ変換器１６からのデータ或いはメモリ制御回路２２からのデータに対して所定の画素補間処理や色変換処理を行う。
【００１７】
また、画像処理回路２０においては、撮像した画像データを用いて所定の演算処理を行い、得られた演算結果に基づいてシステム制御回路５０が露光制御手段４０、測距制御手段４２に対して制御を行う、ＴＴＬ（スルー・ザ・レンズ）方式のＡＦ（オートフォーカス）処理、ＡＥ（自動露出）処理、ＥＦ（閃光装置プリ発光）処理を行っている。
【００１８】
さらに、画像処理回路２０においては、撮像した画像データを用いて所定の演算処理を行い、得られた演算結果に基づいてＴＴＬ方式のＡＷＢ（オートホワイトバランス）処理も行っている。
【００１９】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。
【００２０】
Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００２１】
２４は画像表示メモリ、２６はＤ／Ａ変換器、２８はＴＦＴ  ＬＣＤ等から成る画像表示部であり、画像表示メモリ２４に書き込まれた表示用の画像データはＤ／Ａ変換器２６を介して画像表示部２８により表示される。
【００２２】
画像表示部２８を用いて撮像した画像データを逐次表示すれば、電子ファインダー機能を実現することが可能である。
【００２３】
また、画像表示部２８は、システム制御回路５０の指示により任意に表示をＯＮ／ＯＦＦすることが可能であり、表示をＯＦＦにした場合には撮像装置１００の電力消費を大幅に低減することが出来る。
【００２４】
３０は撮影した静止画像や動画像を格納するためのメモリであり、所定枚数の静止画像や所定時間の動画像を格納するのに十分な記憶量を備えている。
【００２５】
これにより、複数枚の静止画像を連続して撮影する連射撮影やパノラマ撮影の場合にも、高速かつ大量の画像書き込みをメモリ３０に対して行うことが可能となる。
【００２６】
また、メモリ３０はシステム制御回路５０の作業領域としても使用することが可能である。
【００２７】
３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。
【００２８】
４０は絞り機能を備えるシャッター１２を制御する露光制御手段であり、閃光装置４８と連携することにより閃光装置調光機能も有するものである。
【００２９】
４２は撮影レンズ１０のフォーカシングを制御する測距制御手段、４４は撮影レンズ１０のズーミングを制御するズーム制御手段、４６はバリアである保護手段１０２の動作を制御するバリア制御手段である。
【００３０】
４８は閃光装置として用いるストロボであり、ＡＦ補助光の投光機能、閃光装置調光機能も有する。
【００３１】
露光制御手段４０、測距制御手段４２はＴＴＬ方式を用いて制御されており、撮像した画像データを画像処理回路２０によって演算した演算結果に基づき、システム制御回路５０が露光制御手段４０、測距制御手段４２に対して制御を行う。
【００３２】
５０は撮像装置１００全体を制御するシステム制御回路、５２はシステム制御回路５０の動作用の定数、変数、プログラム等を記憶するメモリである。
【００３３】
５４はシステム制御回路５０でのプログラムの実行に応じて、文字、画像、音声等を用いて動作状態やメッセージ等を表示する液晶表示装置、スピーカー等の表示部であり、撮像装置１００の操作部近辺の視認し易い位置に単数或いは複数個所設置され、例えばＬＣＤやＬＥＤ、発音素子等の組み合わせにより構成されている。
【００３４】
また、表示部５４は、その一部の機能が光学ファインダー１０４内に設置されている。
【００３５】
表示部５４の表示内容のうち、ＬＣＤ等に表示するものとしては、動作モード表示、シングルショット／連写撮影表示、セルフタイマー表示、圧縮率表示、記録画素数表示、記録枚数表示、残撮影可能枚数表示、シャッタースピード表示、絞り値表示、露出補正表示、閃光装置表示、赤目緩和表示、マクロ撮影表示、ブザー設定表示、時計用電池残量表示、電池残量表示、エラー表示、複数桁の数字による情報表示、記録媒体２００及び２１０の着脱状態表示、通信Ｉ／Ｆ動作表示、日付・時刻表示、レリーズ禁止表示等がある。
【００３６】
また、表示部５４の表示内容のうち、光学ファインダー１０４内に表示するものとしては、動作モード表示、合焦表示、手振れ警告表示、閃光装置充電表示、シャッタースピード表示、絞り値表示、露出補正表示、レリーズ禁止表示等がある。
【００３７】
５６は電気的に消去・記録可能な不揮発性メモリであり、例えばＥＥＰＲＯＭ等が用いられる。
【００３８】
６１〜６４及び７０は、システム制御回路５０の各種の動作指示を入力するための操作手段であり、スイッチやダイアル、タッチパネル、視線検知によるポインティング、音声認識装置等の単数或いは複数の組み合わせで構成される。
【００３９】
ここで、これらの操作手段の具体的な説明を行う。
【００４０】
６１は記録モード起動スイッチで、オン操作することで撮像した画像データを記録媒体に格納する記録モードで起動することができる。また、すでに他のモードで起動されている場合には、動作モードを記録モードに切り替えることができる。
６３は再生モード起動スイッチで、オン操作することで記録媒体に格納されている画像データを表示する再生モードで起動することができる。また、すでに他のモードで起動されている場合には、動作モードを再生モードに切り替えることができる。
【００４１】
６２はシャッタースイッチＳＷ１で、不図示のシャッターボタンの操作途中でＯＮとなり、ＡＦ（オートフォーカス）処理、ＡＥ（自動露出）処理、ＡＷＢ（オートホワイトバランス）処理、ＥＦ（閃光装置プリ発光）処理等の動作開始を指示する。
【００４２】
６４はシャッタースイッチＳＷ２で、不図示のシャッターボタンの操作完了でＯＮとなり、撮像素子１２から読み出した信号をＡ／Ｄ変換器１６、メモリ制御回路２２を介してメモリ３０に画像データを書き込む露光処理、画像処理回路２０やメモリ制御回路２２での演算を用いた現像処理、メモリ３０から画像データを読み出し、圧縮・伸長回路３２で圧縮を行い、記録媒体２００或いは２１０に画像データを書き込む記録処理という一連の処理の動作開始を指示する。
【００４３】
７０は各種ボタンやタッチパネル等からなる操作部で、メニューボタン、セットボタン、マクロボタン、マルチ画面再生改ページボタン、閃光装置設定ボタン、単写／連写／セルフタイマー切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタン、画像表示ＯＮ／ＯＦＦボタン、クイックレビューＯＮ／ＯＦＦボタン、レリーズ禁止解除ボタン等がある。
【００４４】
８０は電源制御手段で、電源検出回路、ＤＣ−ＤＣコンバータ、通電するブロックを切り替えるスイッチ回路等により構成されており、外部電源の接続の有無、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【００４５】
８２はコネクタ、８４はコネクタ、８６はアルカリ電池やリチウム電池等の一次電池やＮｉＣｄ電池やＮｉＭＨ電池、Ｌｉ電池等の二次電池、ＡＣアダプター、または外部バッテリ等からなる電源手段である。
【００４６】
９０及び９４はメモリカードやハードディスク等の記録媒体とのインターフェース、９２及び９６はメモリカードやハードディスク等の記録媒体と接続を行うコネクタ、９８はコネクタ９２及び或いは９６に記録媒体２００或いは２１０が装着されているか否かを検知する記録媒体着脱検知手段である。
【００４７】
なお、本実施の形態では記録媒体を取り付けるインターフェース及びコネクタを２系統持つものとして説明している。もちろん、記録媒体を取り付けるインターフェース及びコネクタは、単数或いは複数、いずれの系統数を備える構成としても構わない。また、異なる規格のインターフェース及びコネクタを組み合わせて備える構成としても構わない。
【００４８】
インターフェース及びコネクタとしては、ＰＣＭＣＩＡカードやＣＦ（コンパクトフラッシュ（登録商標））カード等の規格に準拠したものを用いて構成して構わない。
【００４９】
さらに、インターフェース９０及び９４、そしてコネクタ９２及び９６をＰＣＭＣＩＡカードやＣＦ（コンパクトフラッシュ（登録商標））カード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード、等の各種通信カードを接続することにより、他のコンピュータやプリンタ等の周辺機器との間で画像データや画像データに付属した管理情報を転送し合うことが出来る。
【００５０】
１０２は、撮像装置１００のレンズ１０を含む撮像部を覆う事により、撮像部の汚れや破損を防止するバリアである保護手段である。
【００５１】
１０４は光学ファインダーであり、画像表示部２８による電子ファインダー機能を使用すること無しに、光学ファインダーのみを用いて撮影を行うことが可能である。また、光学ファインダー１０４内には、表示部５４の一部の機能、例えば、合焦表示、手振れ警告表示、閃光装置充電表示、シャッタースピード表示、絞り値表示、露出補正表示、レリーズ禁止表示などが設置されている。
【００５２】
１１０は通信手段で、ＲＳ２３２ＣやＵＳＢ、ＩＥＥＥ１３９４、Ｐ１２８４、ＳＣＳＩ、モデム、ＬＡＮ、無線通信、等の各種通信機能を有する。
【００５３】
１１２は通信手段１１０により撮像装置１００を他の機器と接続するコネクタ或いは無線通信の場合はアンテナである。
【００５４】
２００はメモリカードやハードディスク等の記録媒体である。
【００５５】
記録媒体２００は、半導体メモリや磁気ディスク等から構成される記録部２０２、撮像装置１００とのインターフェース２０４、撮像装置１００と接続を行うコネクタ２０６を備えている。
【００５６】
２１０はメモリカードやハードディスク等の記録媒体である。
【００５７】
記録媒体２１０は、半導体メモリや磁気ディスク等から構成される記録部２１２、撮像装置１００とのインターフェース２１４、撮像装置１００と接続を行うコネクタ２１６を備えている。
【００５８】
図２を参照して、本発明の実施の形態における撮像装置の動作を説明する。図２は本発明の実施の形態における撮像装置１００の起動時のフローチャートを示す。
【００５９】
記録モード起動スイッチ６３もしくは再生モード起動スイッチ６１がオン操作され、撮像装置１００が通電されると、システム制御回路５０は起動スイッチが接続されている不図示の入力ポートとメモリ５２を初期化し（Ｓ１０１）、いずれの起動スイッチがオン操作されているかを起動スイッチ情報としてメモリ５２に格納する（Ｓ１０２）。
【００６０】
次に、システム制御回路５０はＢＩＯＳを起動した後（Ｓ１０３）、ＯＳを起動し（Ｓ１０４）、撮像装置のシステムプログラムを実行する（Ｓ１０５）。
【００６１】
ここで、システム制御回路５０はメモリ５２に格納されている起動スイッチ情報を読み出し（Ｓ１０６）、読み出した起動スイッチ情報が記録モード起動スイッチであれば（Ｓ１０７）撮像装置１００を記録モードで起動し（Ｓ１０８）、再生モード起動スイッチであれば（Ｓ１０７）撮像装置１００を再生モードで起動する（Ｓ１０９）。
【００６２】
このように、システム制御回路５０は、起動スイッチのオン操作により通電された直後に、起動スイッチが接続されている入力ポートの初期化やメモリの初期化等、起動スイッチ情報を記憶するために必要最小限の初期化処理のみを行い、いずれの起動スイッチがオン操作されているかを起動スイッチ情報として記憶した後に起動処理を続行し、一連の起動処理中で動作モードを判定する際に通電直後に記憶した起動スイッチ情報を用いることにより、希望する動作モードに対応する起動スイッチをごく短時間オン操作するだけで、撮像装置１００を所望の動作モードで起動することが可能となる。
【００６３】
なお、実施の形態の説明に於いては、撮像装置の動作モードを２種類として説明したが、動作モードが３種類以上ある場合でも、それぞれの動作モードに対応する起動スイッチを備えるか、ひとつの起動スイッチに複数の動作モードを割り当て、ひとつの起動スイッチに割り当てられた動作モードの選択は別に設けた選択手段によって行うようにすることも可能である。
【００６４】
また、実施の形態では起動スイッチ情報をメモリ５５に格納するとして説明したが、起動スイッチ情報の記憶には別の記憶手段を用いても勿論構わない。
【００６５】
また、ＢＩＯＳの起動前に起動スイッチ情報を記憶するとして説明したが、起動スイッチ情報の記憶処理をＢＩＯＳ内に組み込むことにより、ＢＩＯＳ起動時に起動スイッチ情報の記憶を行うようにしても構わない。
【００６６】
さらには、撮像装置のシステムにＢＩＯＳやＯＳを使用しない場合であっても、通電直後に起動スイッチの入力ポートと起動スイッチ情報の記録手段の初期化等、起動スイッチ情報の記憶に必要な最小限の初期化処理のみを行って起動スイッチ情報を記憶し、その後、通常の初期化処理を行うことで、同等の機能を実現することが可能である。
【００６７】
本発明は、一例として、前述した実施形態の機能を実現するソフトウェアのプログラムコードを、インターネットなどのネットワークを介して撮像装置に供給し、撮像装置のコンピュータ（またはＣＰＵやＭＰＵ）が記憶媒体に格納されたプログラムコードを読み出し実行することによって達成できる。
【００６８】
この場合、記憶媒体から読み出されたプログラムコード自体が前述した実施形態のＣＰＵ５０の機能を実現することになり、そのプログラムコードを記憶した記憶媒体は本発明を構成することになる。
【００６９】
プログラムコードを供給するための記憶媒体としては、例えば、フロッピー（登録商標）ディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【００７０】
また、コンピュータが読み出したプログラムコードを実行することにより、前述した実施形態の機能が実現されるだけでなく、そのプログラムコードの指示に基づき、コンピュータ上で稼動しているＯＳ（オペレーティングシステム）などが実際の処理の一部または全部を行い、その処理によって前述した実施形態の機能が実現される場合も含まれる。
【００７１】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示にもとづき、その機能拡張ボードや機能拡張ユニットに備わるＣＰＵなどが実際の処理の一部または全部を行い、その処理によって前述した実施形態の機能が実現される。
【００７２】
本発明を上記記憶媒体に適用する場合、その記憶媒体には、先に説明したフローチャートに対応するプログラムコードを格納することになるが、簡単に説明すると、本実施の形態の撮像装置に不可欠なモジュールを、記憶媒体に格納することになる。
【００７３】
【発明の効果】
以上説明したように、本発明によれば、複数の動作モードを有する撮像装置の起動時において、希望する動作モードに対応する起動スイッチをごく短時間オン操作するだけで、簡単でかつ確実に所望の動作モードで起動する撮像装置を、余分なコストをかけることなく提供することが可能となる。
【図面の簡単な説明】
【図１】  本発明の実施の形態における撮像装置の構成ブロック図。
【図２】  本発明の実施の形態における撮像装置の起動時のフローチャート。
【符号の説明】
６１  再生モード起動スイッチ
６２  シャッタースイッチＳＷ１
６３  記録モード起動スイッチ
６４  シャッタースイッチＳＷ２
【図１】
0004261815.tif 000002
【図２】
0004261815.tif 000003